(57)【要約】  【課題】付加部品点数が極めて少なく、カッターの回転を利用して駆動し得る、細断済紙屑のならし装置付きシュレッダーを提供する。  【解決手段】  カッターの下方に該カッターに沿って延びた紙ならし部５aを有する紙ならし部材５と、紙ならし部材５に固着されていて一方向への回動習性を付与されたアーム部材１０と、前記カッターの回転軸３に固着されていてアーム部材１０に転接した駆動部材８とを備えている。                      【選択図】図１
2009213950.tif 000002
【特許請求の範囲】
【請求項１】
カッターを回転可能に支持する支持壁を備えたシュレッダーにおいて、前記支持壁に揺動可能に支持されていて前記カッターの下方に該カッターに沿って延びた紙ならし部を有する紙ならし部材と、前記カッターの駆動軸と前記紙ならし部材との間に連結された回転-揺動変換機構とを備え、該回転-揺動変換機構を介して、前記駆動軸の一回転で前記紙ならし部材を所定範囲で一往復動させるようにしたことを特徴とする細断済紙屑のならし装置。
【請求項２】
前記回転-揺動変換機構が、前記紙ならし部材に固着されていて一方向への回動習性を付与されたアーム部材と、前記カッターの駆動軸に固着されていて前記アーム部材に摺接した駆動部材とを含み、前記回転軸の所定の回動角範囲では前記アーム部材はその習性に抗し前記駆動部材により押動されて前記紙ならし部材を一方向へ回動させ、前記カッターの駆動軸が前記所定の回動角範囲を越えたとき前記アーム部材はその習性により前記駆動部材に追従して回動するようになって前記紙ならし部材を他方向へ回動せしめるようにした請求項１に記載の細断済紙屑のならし装置。
【請求項３】
前記回転-揺動変換機構が、前記紙ならし部材に固着されたアーム部材と、前記カッターの駆動軸に固着されていて前記アーム部材とピン-スロット連結された駆動部材とを含み、前記駆動軸の一回転で前記紙ならし部材を所定範囲で一往復動させるようにした請求項１又は２に記載の細断済紙屑のならし装置。
【請求項４】
前記紙ならし部材は、ロッドを折り曲げてカッターの全長に亘って延びる部分を含むように成形されている、請求項１乃至３の何れかに記載の細断済紙屑のならし装置。
【請求項５】
前記紙ならし部材の前記カッターの長さ方向に沿う部分は、波形または少なくとも1つの半円形の突出部を含むように成形されている請求項４に記載の細断済紙屑のならし装置。
【請求項６】
前記紙ならし部材の前記カッターの長さ方向に沿う部分は、板部材を含むように形成されている請求項４に記載の細断済紙屑のならし装置。
【発明の詳細な説明】
【技術分野】
【０００１】
本発明は、シュレッダーの細断済紙屑の収容箱内に山状に堆積する細断済紙屑を崩して収容箱内に均一に堆積させるのに用いられる細断済紙屑のならし装置に関する。
【背景技術】
【０００２】
この種装置は、従来から数多く提案されており、これらの多くは、細断済紙屑の収容箱上方の本体部分に回転部材を設け、細断中これを回して細断済紙屑を収容箱内にできるだけ均一にならし、更にこれを圧縮して細断済紙屑の収容量の増大を図るように構成されている（例えば、特許文献１〜３参照）。
【特許文献１】実開昭６３−７３１４９号公報
【特許文献２】特開平７−１４４１４３号公報
【特許文献３】特開２００４−８９６５号公報
【発明の開示】
【発明が解決しようとする課題】
【０００３】
ところで、この種従来装置は、上記回転部材が比較的多くのスペースを必要とするばかりか、回転部材のための駆動装置を別設する必要があるため、シュレッダー全体の大きさが比較的大きくなって、一般事務用には不向きとなるばかりか、保守点検箇所も増えてしまうと言う問題点があった。
【０００４】
本発明は、従来装置の係る問題点に鑑みてなされたものであり、その目的とするところは、付加部品点数が極めて少なく、カッターの回転を利用して駆動し得る、細断済紙屑のならし装置付きシュレッダーを提供することにある。
【課題を解決するための手段】
【０００５】
上記目的を達成するため、本発明による細断済紙屑のならし装置は、カッターを回転可能に支持する支持壁を備えたシュレッダーにおいて、前記支持壁に揺動可能に支持されていて前記カッターの下方に該カッターに沿って延びた紙ならし部を有する紙ならし部材と、前記カッターの駆動軸と前記紙ならし部材との間に連結された回転-揺動変換機構（回転運動を揺動運動に変換する機構）とを備え、該回転-揺動変換機構を介して、前記駆動軸の一回転で前記紙ならし部材を所定範囲で一往復動させるようにしたことを特徴とする。
【０００６】
本発明によれば、前記回転-揺動変換機構が、前記紙ならし部材に固着されていて一方向への回動習性を付与されたアーム部材と、前記カッターの駆動軸に固着されていて前記アーム部材に摺接した駆動部材とを含み、前記回転軸の所定の回動角範囲では前記アーム部材はその習性に抗し前記駆動部材により押動されて前記紙ならし部材を一方向へ回動させ、前記カッターの駆動軸が前記所定の回動角範囲を越えたとき前記アーム部材はその習性により前記駆動部材に追従して回動するようになって前記紙ならし部材を他方向へ回動せしめるようになっている。
【０００７】
また、本発明によれば、前記回転-揺動変換機構が、前記紙ならし部材に固着されたアーム部材と、前記カッターの駆動軸に固着されていて前記アーム部材とピン-スロット連結された駆動部材とを含み、前記駆動軸の一回転で前記紙ならし部材を所定範囲で一往復動させるようになっている。
【０００８】
また、本発明によれば、前記紙ならし部材は、好ましくは、ロッドを折り曲げてカッターの全長に亘って延びた部分を含むように成形されている。
【０００９】
また、本発明によれば、好ましくは、前記紙ならし部材の前記カッターの長さ方向に沿う部分は、波形または少なくとも1つの半円形の突出部または板部材を含むように成形されている。
【発明の効果】
【００１０】
本発明による細断済紙屑のならし装置は、従来構造のシュレッダーに対しても僅かな部品を付加するだけで構成することができるから、シュレッダーの全体構造を格別に複雑化させることなく、比較的廉価に細断済紙屑のならし装置付きシュレッダーを提供することができる。
また、本発明によれば、紙ならし部材は、ロッドを折り曲げてカッターの全長に亘って延びる部分を含むように成形されているから、細断済紙屑のならし作用は均一に行われ得、しかも、カッターの長さ方向に沿う部分は波形または少なくとも1つの半円形の突出部分または板状部分を含むように成形されているから、紙ならし部材には適度の強度が付与され、長期間の使用に耐え得る細断済紙屑のならし装置を提供することができる。
【発明を実施するための最良の形態】
【００１１】
以下、本発明の実施の形態を図示した実施例に基づき説明する。
図１は本発明に係る装置の一実施例の要部分解斜視図、図２乃至図４は図１に示す装置の互いに異なる作動位置を示す要部側面図、図５は紙ならし部材の図１とは異なる実施例を示す平面図である。
【００１２】
図中、１，２はシュレッダー本体に固着された対向する一対の支持壁、３は支持壁１，２に回転可能に軸受けされた周知のカッター主駆動軸、４は支持壁１，２に回転可能に軸受けされた周知のカッター従駆動軸で、この主駆動軸３と従駆動軸４の回転により、被細断紙の裁断が行われる。５は支持壁１，２に回動可能に支持されていてカッターの下方に該カッターに沿って延びた紙ならし部５aを有する好ましくはロッドを折り曲げて成形された紙ならし部材、６は取付けビス７によりカッター主駆動軸３の軸端面に固着された駆動片、８は取付けビス９により駆動片６に回転可能に取り付けられた滑車、１０はナット１１により支持壁１から突出した紙ならし部材５の端部に固着されていて滑車８に摺動可能に係合するカム側面１０aを有する駆動アーム、１２は支持壁１から突出した紙ならし部材５に緩く巻かれ一端が支持壁１に他端が駆動アーム１０に係止されていて紙ならし部材５及び駆動アーム１０に左旋習性を付与するコイルばねである。
【００１３】
なお、紙ならし部材５の紙ならし部５aには、図１に示すように少なくとも一つの半円形の突出部５a'が形成されるか、或いは、図５に示すように紙ならし部５aが波形に形成されている。そして、上記の駆動片６、滑車８、駆動アーム１０及びコイルばね１２は、回転-揺動機構を構成している。
【００１４】
本発明装置は上記のように構成されているから、図示の位置で主駆動軸３が反時計回転し、従駆動軸４が時計回転することにより、周知のように被細断紙の細断が行われてカッターの下部領域には細断済紙屑の山ができる（図４参照）。しかしながら、主駆動軸３の反時計回転に従って駆動片６も反時計回転するから、滑車８も駆動アーム１０のカム側面１０a上を転動しながら反時計方向へ回動し、駆動アーム１０と紙ならし部材５を、コイルばね１２の弾力に抗して図２に示す位置から図３に示す位置まで回動せしめる。この過程で細断済紙屑の山を崩し、細断済紙屑を図示しない収納箱内に散らす。
【００１５】
かくして、滑車８が駆動アーム１０のカム側面１０aの頂部を過ぎて反時計方向へ更に回動すると、駆動アーム１０と紙ならし部材５はコイルばね１２の弾圧力により押されて反時計方向へ追従回動し、図３に示す位置から図４に示す位置へ戻って、作動の一サイクルを終了する。この過程で、紙ならし部材５は再び細断済紙屑の山を崩し、細断済紙屑を図示しない収納箱内に散らす。このようにして、細断中、紙ならし部材５は、所定の角度範囲内を往復動して、収納箱内での細断済紙屑のならしを行う。この場合、紙ならし部材５の紙ならし部５aには、図１に示すように少なくとも一つの半円形の突出部５a'が形成されるか、或いは、図５に示すように紙ならし部５aが波形に成形されていれば、紙ならし作業をより効果的に実施することが出来るにのみならず、紙ならし部材５に適度の強度を付与することができる。
【００１６】
図６は本発明に係る装置の他の実施例の図２に対応する要部側面図である。図中、既述の実施例と実質上同一の部材には同一符号を付し、詳細な説明は省略する。
この実施例によれば、支持壁１から突出した紙ならし部材５の端部には、ナット１１により、所定の形状のカムスロット１３aを有する駆動アーム１３が固着され、駆動片６には、カムスロット１３aに滑合した駆動ピン１４が植設されていて、主駆動軸３の一回転中に紙ならし部材５が所定範囲を一往復するように構成されている。この実施例では、コイルばね１２は必ずしも必要とされないので、装置を更に簡素化し得る。
【００１７】
図７は紙ならし部材の更に異なる形態を示している。即ち、この形態では、紙ならし部材５の紙ならし部５aは一枚の板５a"を含むように成形されていて、紙ならし作業が更に効率的に行われ得るようになっている。
なお、この板５a"は複数枚に分かれていても良いし、網板として形成されていても良い。
【００１８】
以上、実施例では、主駆動軸３の回転により駆動アーム１０の揺動を制御するように構成したが、この揺動運動を従駆動軸４の回転により制御するように構成することが出来ることはいうまでもなく、また、駆動アーム１０のカム側面１０aのカム形状を適宜設計することにより、紙ならし部材５の揺動範囲及び揺動態様を種々変更することができるが、これらは全て本発明の範囲に属する。
【図面の簡単な説明】
【００１９】
【図１】本発明に係る装置の一実施例の要部分解斜視図である。
【図２】本装置がスタート位置にある場合の要部側面図である。
【図３】本装置が図２とは異なる作動位置にある場合の要部側面図である。
【図４】本装置が作動の一サイクルを終了した状態にある場合の要部側面図である。
【図５】紙ならし部材の図１とは異なる形態を示す平面図である。
【図６】本発明に係る装置の他の実施例の要部側面図である。
【図７】紙ならし部材の更に異なる形態を示す平面図である。
【符号の説明】
【００２０】
１、２                    支持壁
３                        主動軸
４                        従動軸
５                        紙ならし部材
５a                       紙ならし部
５a'                      突出部
５a"                      板
６                        駆動片
７、９                    取付けビス
８                        滑車
１０、１３                駆動アーム
１１                      ナット
１２                      コイルばね
１３a                     カムスロット
１４                      駆動ピン
【図１】
2009213950.tif 000003
【図２】
2009213950.tif 000004
【図３】
2009213950.tif 000005
【図４】
2009213950.tif 000006
【図５】
2009213950.tif 000007
【図６】
2009213950.tif 000008
【図７】
2009213950.tif 000009